(57)【要約】【課題】製造コストの削減と設置面積の削減が図られるスキャナ付きプリンタ装置を提供する。【解決手段】スキャナ部３は、回動支持部７によって、通常の使用位置とプリンタ部３のメンテナンスを行う際の所定のメンテナンス位置との間をスライド可能とされ、さらに、そのメンテナンス位置において回動可能とされる。スキャナ部５の重心は、通常の使用位置では回動支持部７の位置よりも前方に位置し、メンテナンス位置では回動支持部７の位置よりも後方に位置する。また、メンテナンス位置において開いたスキャナ部５を開いた状態で保持するストッパ部が設けられている。【選択図】図７
2008131338.tif 000002
【特許請求の範囲】
【請求項１】
画像を印刷するプリンタ部と、
前記プリンタ部と対向するベース部材を有して前記プリンタ部の上に取付けられた、画像を読み込むスキャナ部と、
前記プリンタ部の背面に固定された軸本体と、
前記軸本体に装着され、前記軸本体を支点として前記スキャナ部の前方側を開閉自在に前記スキャナ部を支持するヒンジ部と、
前記ヒンジ部に前記ベース部材を介在させて前記ヒンジ部と対向するように配設され、前記ヒンジ部とで前記ベース部材を挟み込む態様で前記ヒンジ部を前記スキャナ部に取付けるための取付け部材と、
前記ベース部材に形成されて前記取付け部材の所定の部分が挿通され、前記スキャナ部を前記スキャナ部の重心が前記プリンタ部の前面と背面との間に位置する所定の第１の位置と、前記重心が前記プリンタ部の背面よりも後方に位置する第２の位置との間をスライド動作させる長穴と、
前記ベース部材にそれぞれ形成され、前記第１の位置において前記取付け部材の他の所定の部分が嵌め込まれる第１開口部および前記第２の位置において前記取付け部材の前記他の所定の部分が嵌め込まれる第２開口部と、
前記第２の位置において、前記スキャナ部の自重によっては前記プリンタ部との係止状態が解除されず、前記スキャナ部に所定の上向きの力を加えることによって前記プリンタ部との係止状態が解除されて前記スキャナ部の自重により前記スキャナ部の前方側を開かせる係止部と、
前記第２の位置において前記スキャナ部が開いた状態を保持するストッパ部と
を備えた、スキャナ付きプリンタ装置。
【請求項２】
画像を印刷するプリンタ部と、
前記プリンタ部の上に取付けられた、画像を読み込むスキャナ部と、
前記プリンタ部に対し、前記スキャナ部の重心が前記プリンタ部の前面と背面との間に位置する所定の第１の位置と、前記重心が前記プリンタ部の背面よりも後方に位置する第２の位置との間をスライド可能に前記スキャナ部を支持するとともに、前記第２の位置において前記スキャナ部の後方側を支点として前記プリンタ部に対して前記スキャナ部の前方側を開閉自在に前記スキャナ部を支持する回動支持部と
を備えた、スキャナ付きプリンタ装置。
【請求項３】
前記回動支持部は、
前記プリンタ部の背面側に固定された軸本体と、
前記軸本体に装着され、前記軸本体を支点として前記スキャナ部の前方側を開閉自在に前記スキャナ部を支持するヒンジ部と
を含む、請求項２記載のスキャナ付きプリンタ装置。
【請求項４】
前記回動支持部は、
前記ヒンジ部に前記ベース部材を介在させて前記ヒンジ部と対向するように配設され、前記ヒンジ部とで前記ベース部材を挟み込む態様で前記ヒンジ部を前記スキャナ部へ取付けるための取付け部材と、
前記ベース部材に形成され、前記スキャナ部を前記第１の位置と前記第２の位置との間をスライド動作させるスライド部と
を含む、請求項３記載のスキャナ付きプリンタ装置。
【請求項５】
前記スライド部は、
前記ベース部材に形成され、前記取付け部材の所定の部分が挿通される長穴と、
前記ベース部材にそれぞれ形成され、前記第１の位置において前記取付け部材の他の所定の部分が嵌め込まれる第１開口部および前記第２の位置において前記取付け部材の前記他の所定の部分が嵌め込まれる第２開口部と
を含む、請求項４記載のスキャナ付きプリンタ装置。
【請求項６】
前記第２の位置において、前記スキャナ部の自重によっては前記プリンタ部との係止状態が解除されず、前記スキャナ部に所定の上向きの力を加えることによって前記プリンタ部との係止状態が解除されて前記スキャナ部の自重により前記スキャナ部の前方側を開かせる係止部を備えた、請求項２〜５のいずれかに記載のスキャナ付きプリンタ装置。
【請求項７】
前記第２の位置において前記スキャナ部が開いた状態を保持するストッパ部を備えた、請求項２〜６のいずれかに記載のスキャナ付きプリンタ装置。
【発明の詳細な説明】
【技術分野】
【０００１】
本発明はスキャナ付きプリンタ装置に関し、特に、スキャナ部がプリンタ部に対して開閉可能に支持されたスキャナ付きプリンタ装置に関するものである。
【背景技術】
【０００２】
画像を印刷（印画）するプリンタ装置には、画像を読み取るスキャナ機能を併せたスキャナ付きプリンタ装置がある。そのようなスキャナ付きプリンタ装置の一例として特許文献１には、図２４に示すように、プリンタ部１０３の上にスキャナ部１０５を配設したスキャナ付きプリンタ装置１０１が提案されている。また、特許文献２にも、図２５に示すように、プリンタ部１０３の上にスキャナ部１０５を配設したスキャナ付きプリンタ装置１０１が提案されている。
【０００３】
これらのスキャナ付きプリンタ装置１０１では、スキャナ部１０５において原稿をガラス板等に載置した状態で画像の読み取りが行なわれる関係上、スキャナ部１０５はプリンタ部１０３の上に配設されることになる。また、この種のプリンタ部１０３としては、レーザ光線を所定の用紙に照射することによって画像を転写するレーザ方式が採用されている。
【特許文献１】特開平１０−２００６７４号公報
【特許文献２】特開２００５−１６７８０１号公報
【発明の開示】
【発明が解決しようとする課題】
【０００４】
しかしながら、従来のスキャナ付きプリンタ装置１０１では、以下のような問題点があった。プリンタ部１０３において、用紙が搬送経路の途中で詰まるとその詰まった用紙を取り除く必要がある。そのため、スキャナ付きプリンタ装置１０１では、プリンタ部１０３の内部に手が入れられるような構造が採用されている。
【０００５】
すなわち、特許文献１に提案されているスキャナ付きプリンタ装置１０１では、図２６に示すように、スキャナ部１０５をプリンタ部１０３に対して矢印１３０に示す方向にスライド動作をさせることによって、プリンタ部１０３の内部が露出するよう構成されている。このとき、プリンタ部１０３の上面部のほぼ全領域が露出するようにスキャナ部１０５がスライド動作されるため、スキャナ付きプリンタ装置１０１の設置領域として、そのスキャナ部１０５のスライド動作を含めた領域（奥行きＬ）を確保する必要があった。
【０００６】
一方、特許文献２に提案されているスキャナ付きプリンタ装置１０１では、図２７に示すように、スキャナ部１０５をスライド動作をさせることなくプリンタ部１０３に回動軸部１０６に軸支されたスキャナ部１０５を矢印１３１に示すように回動することによって、プリンタ部１０３の内部が露出するよう構成されている。そのため、開いたスキャナ部１０３をその開いた状態で保持するために、支持部材やダンパー等の相応の強度を備えた付加的な部材が必要とされて、製造コストの削減を阻害する要因の一つとなった。
【０００７】
本発明は上記問題点を解決するためになされたものであり、その目的は製造コストの削減と設置面積の削減が図られるスキャナ付きプリンタ装置を提供することである。
【課題を解決するための手段】
【０００８】
本発明に係るスキャナ付きプリンタ装置は、画像を印刷するプリンタ部と画像を読み込むスキャナ部と軸本体とヒンジ部と取付け部材と長穴と第１開口部および第２開口部と係止部とストッパ部とを備えている。スキャナ部は、プリンタ部と対向するベース部材を有してプリンタ部の上に取付けられている。軸本体はプリンタ部の背面に固定されている。ヒンジ部は軸本体に装着され、軸本体を支点としてスキャナ部の前方側を開閉自在にスキャナ部を支持する。取付け部材は、ヒンジ部にベース部材を介在させてヒンジ部と対向するように配設されて、ヒンジ部とでベース部材を挟み込む態様でヒンジ部がスキャナ部に取付けられる。長穴はベース部材に形成されて取付け部材の所定の部分が挿通され、スキャナ部をスキャナ部の重心がプリンタ部の前面と背面との間に位置する所定の第１の位置と、重心がプリンタ部の背面よりも後方に位置する第２の位置との間をスライド動作させる。第１開口部および第２開口部はベース部材にそれぞれ形成されている。第１開口部には第１の位置において取付け部材の所定の部分が嵌め込まれ、第２開口部には第２の位置において取付け部材の所定の部分が嵌め込まれる。係止部においては、第２の位置においてスキャナ部の自重によってプリンタ部との係止状態が解除されず、スキャナ部に所定の上向きの力を加えることによってプリンタ部との係止状態が解除されて、スキャナ部の自重によりスキャナ部の前方側を開かせる。ストッパ部は第２の位置においてスキャナ部が開いた状態を保持する。
【０００９】
この構成によれば、回動支持部によってスキャナ部が、その重心がプリンタ部の前面と背面との間に位置する第１の位置と、重心Ｇが回動支持部よりも後方に位置する第２の位置との間をスライド可能に支持されるとともに、その第２の位置において回動可能に支持される。これにより、まず、第２の位置ではスキャナ部の重量（重力）の大部分が回動支持部において支持されることになり、付加的な部材を用いることなくスキャナ部を比較的小さい力で開けることができる。また、相応の強度を有するダンパー等の付加的な部材を用いることなく、簡便なストッパ部によりスキャナ部が開いた状態を保持することができる。その結果、製造コストの削減を図ることができる。さらに、スキャナ部を第２の位置にまでスライド動作させる際に、重心の位置を第１の位置から回動支持部よりも後方にまで移動させればよく、プリンタ部の上面部のほぼ全領域が露出するまでスキャナ部をスライド動作させる必要がなくなる。その結果、スキャナ付きプリンタ装置の設置面積（占有面積）の削減を図ることができる。
【００１０】
また、本発明に係る他のスキャナ付きプリンタ装置は、画像を印刷するプリンタ部と画像を読み込むスキャナ部と回動支持部とを備えている。スキャナ部はプリンタ部の上に取付けられている。回動支持部は、プリンタ部に対し、スキャナ部の重心がプリンタ部の前面と背面との間に位置する所定の第１の位置と、重心がプリンタ部の背面よりも後方に位置する第２の位置との間をスライド可能にスキャナ部を支持するとともに、第２の位置においてスキャナ部の後方側を支点としてプリンタ部に対してスキャナ部の前方側を開閉自在にスキャナ部を支持する。
【００１１】
この構成によれば、回動支持部によってスキャナ部が、その重心がプリンタ部の前面と背面との間に位置する第１の位置と、重心Ｇが回動支持部よりも後方に位置する第２の位置との間をスライド可能に支持されるとともに、その第２の位置において回動可能に支持される。これにより、第２の位置ではスキャナ部の重量（重力）の大部分が回動支持部において支持されることになり、付加的な部材を用いることなくスキャナ部を比較的小さい力で開けることができる。その結果、製造コストの削減を図ることができる。また、スキャナ部を第２の位置にまでスライド動作させる際に、重心の位置を第１の位置から回動支持部よりも後方にまで移動させればよく、プリンタ部の上面部のほぼ全領域が露出するまでスキャナ部をスライド動作させる必要がなくなる。その結果、スキャナ付きプリンタ装置の設置面積（占有面積）の削減を図ることができる。
【００１２】
より具体的にスキャナ部をプリンタ部に対して回動可能に支持するには、回動支持部は、プリンタ部の背面側に固定された軸本体と、その軸本体に装着され、軸本体を支点としてスキャナ部の前方側を開閉自在にスキャナ部を支持するヒンジ部とを含むことが好ましい。
【００１３】
また、より具体的にスキャナ部をプリンタ部に対してスライド可能に支持するには、回動支持部は、取付け部材とスライド部とを含むことが好ましい。取付け部材は、ヒンジ部にベース部材を介在させてヒンジ部と対向するように配設され、ヒンジ部とでベース部材を挟み込む態様でヒンジ部をスキャナ部へ取付ける。そして、スライド部はベース部材に形成され、スキャナ部を第１の位置と第２の位置との間をスライド動作させる。
【００１４】
そのスライド部は、具体的には、長穴と第１開口部および第２開口部とを含むことが好ましい。長穴はベース部材に形成され、取付け部材の所定の部分が挿通される。第１開口部および第２開口部はベース部材にそれぞれ形成され、第１開口部には第１の位置において取付け部材の他の所定の部分が嵌め込まれ、第２開口部には第２の位置において取付け部材の他の所定の部分が嵌め込まれる。
【００１５】
さらに、第２の位置において、スキャナ部がその自重により自然に開閉しないように係止部を備えていることが好ましい。この係止部により第２の位置において、スキャナ部の自重によってはプリンタ部との係止状態が解除されず、スキャナ部に所定の上向きの力を加えることによってプリンタ部との係止状態が解除されてスキャナ部の自重によりスキャナ部の前方側を開かせる。
【００１６】
また、スキャナ部が開いた状態を保持するには、第２の位置においてスキャナ部が開いた状態を保持するストッパ部を備えていることが好ましい。
【発明を実施するための最良の形態】
【００１７】
本発明の実施の形態に係るスキャナ付きプリンタ装置について説明する。図１に示すように、スキャナ付きプリンタ装置１は、画像を印刷するプリンタ部３と、画像を読み込むスキャナ部５を備えて構成される。スキャナ部５はプリンタ部３の上に配設され、そのスキャナ部５の前面側には、スキャナ部５およびプリンタ部３を操作するための操作パネル５ａが設けられている。プリンタ部３は、所定のレーザ光線を用紙に照射することによって画像を転写するレーザ方式が採用されている。用紙（図示せず）はプリンタ部３の下部から給紙されて、プリンタ部３の上部から排紙される。
【００１８】
スキャナ部３は、プリンタ部３に対して回動支持部７（図２参照）によってスライド可能に、かつ、回動可能に支持されている。すなわち、スキャナ部３は、まず、図１および図２に示される通常の使用位置（第１の位置）と、図３および図４に示されるプリンタ部３のメンテナンスを行なう際の所定のメンテナンス位置（第２の位置）との間をスライド可能（矢印３０）とされる。そして、図５および図６に示すように、スキャナ部３はその所定のメンテナンス位置において回動可能とされる。
【００１９】
スキャナ部５の重心Ｇは、通常の使用位置では回動支持部７の位置よりも前方に位置（図２参照）し、メンテナンス位置では回動支持部７の位置Ｐよりも後方に位置（図４参照）する。これにより、スキャナ部５は、その自重によって矢印３１に示す方向に回動（図６参照）することになる。なお、そのメンテナンス位置においてスキャナ部５が自然に回動しないように、スキャナ部５をプリンタ部３に係止する係止部１８（図７参照）が設けられている。
【００２０】
次に、回動支持部７と係止部１８の構造についてさらに詳しく説明する。図７に示すように、回動支持部７はスキャナ付きプリンタ装置１の背面側に設けられ、係止部１８はプリンタ部３の上面側とスキャナ部５の下面側に設けられている。図８および図９に示すように、回動支持部７では、プリンタ部の背面側に固定された軸本体９に対し、その軸本体９の外周を掴むようにヒンジ部１１の一端部が装着されている。そのヒンジ部１１の他端部は、取付け部材１３によってスキャナ部３の下部に配設されたベース部材６に取付けられている。
【００２１】
そのベース部材６には、スキャナ部３をスライド動作させるための長穴６ａが前後方向に形成されて、その長穴６ａに取付け部材１３をヒンジ部１１に固定するためのネジ１５が挿通される。そのネジ１５が相対的に長穴６ａにガイドされることによってスキャナ部３がスライド動作することになる。そのため、ネジ１５は、ヒンジ部１１と取付け部材１３とでベース部材６を挟み込んだ状態で、スキャナ部３がヒンジ部１１に対してスライド動作できる程度にヒンジ部１１にねじ込まれている。
【００２２】
また、ベース部材６には、スライド動作するスキャナ部３の位置合わせをするために、通常の使用位置に対応する位置に開口部６ｂが形成され、メンテナンス位置に対応する位置に開口部６ｃが形成されている。その開口部６ｂ、６ｃには、スキャナ部３のスライド動作により、取付け部材１３に設けられた突起部１３ａが嵌合することになる。
【００２３】
次に、図１０および図１１に示すように、係止部１８はカギ部１７とレール材１９により構成される。レール材１９はプリンタ部に取付けられ、カギ部１７はベース部材６に取付けられている。カギ部１７の先端部分がＬ字型のレール材１９の略水平に延在する板状部分に係止することによって、スキャナ部５がプリンタ部３に係止される。カギ部１７はレール材１９に係止された状態で、スキャナ部５のスライド動作に合わせてレール材１９をスライド動作する。後述するように、スキャナ部５の前面側を持ち上げることによって係止状態が解かれてスキャナ部５が回動を開始する。
【００２４】
また、図１２に示すように、プリンタ部３の背面側には、回動支持部７に加えて、ストッパ部として受部２２が設けられている。一方、図１３に示すように、スキャナ部５にはメンテナンス位置においてその受部２２に当接する突起部２１が設けられている。本スキャナ付きプリンタ装置１は上記のように構成される。
【００２５】
次に、上述したスキャナ付きプリンタ装置１のメンテナンス時における取扱い手順について説明する。まず、図１４に示すように、通常の使用状態では、スキャナ部５はプリンタ部３に対して所定の使用位置（第１の位置）にあり、この所定の使用位置では、図１５に示すように、ヒンジ支持部１３に設けられた突起部１３ａは、ベース部材６に設けられた開口部６ｂに嵌り込んだ状態にある。また、この状態では、スキャナ部５の重心Ｇは回動支持部７よりも前方側に位置する（図２参照）。
【００２６】
そして、プリンタ部３に紙詰まりが生じた場合には、スキャナ部５を前面側から後方側に向って押すことによって、まず、突起部１３ａが開口部６ｂに嵌り込んだ状態から抜け出る（図１７参照）。さらに、スキャナ部５を押し続けると、図１６に示すように、ネジ１５が相対的に長穴６ａにガイドされながらスキャナ部３が後方側にスライド動作（矢印３０）を始める。このとき、スキャナ部５は、図１７に示すように、ヒンジ支持部１３の突起部１３ａがベース部材６の表面を滑りながらスライド動作をすることになる。
【００２７】
図１８および図１９に示すように、スキャナ部５がスライド動作をしてメンテナンス位置（第２の位置）に達すると、突起部１３ａが開口部６ｃに嵌り込んでスキャナ部５の位置合わせが行なわれる。スキャナ部５がスライド動作をする間、カギ部１８もレール材１９に対し、レール材１９に係止された状態（図１１参照）でスライド動作をする。
【００２８】
そして、このメンテナンス位置では、スキャナ部５の重心Ｇは回動支持部７よりも後方側に位置（図４参照）することになるが、このとき、カギ部１８はレール材１９にまだ係止された状態にあるため、回動支持部７を支点としてスキャナ部５が自然に回動を始めることはない。
【００２９】
次に、スキャナ部５の前方側を手で持ち上げる。そうすると、図２０および図２１に示すように、スキャナ部５のベース部材６が矢印３１に示すように持ち上げられて樹脂等から形成されたカギ部１７が内側に徐々に湾曲する。さらにスキャナ部５を持ち上げると、図２２に示すように、カギ部１７がレール材１９に係止された状態から解かれて、スキャナ部５は自然に回動を始める。
【００３０】
スキャナ部５の前方側に手を添えながらスキャナ部５を回動させると、図２３に示すように、スキャナ部５に設けられた突起部２１がプリンタ部３に設けられた受部２２に当接して、スキャナ部５が開いた状態が保持されることになる。なお、スキャナ部５の開き具合は、突起部２１とこれを受ける受部２２の形状により適切な角度に選択される。
【００３１】
こうして、スキャナ部５が回動して露出したプリンタ部３の上部から詰まった用紙を取り除く等のメンテナンス作業を行なうことができる。メンテナンス作業が完了すると、上述した操作を逆に行なうことによって、通常の使用位置（図１および図２参照）にスキャナ部５が戻されることになる。
【００３２】
上述したスキャナ付きプリンタ装置１では、回動支持部７によってスキャナ部５が、スキャナ部５の重心Ｇがプリンタ部３の前面と背面との間に位置する通常の使用位置と、重心Ｇが回動支持部７よりも後方で回動軸部７の近傍に位置するメンテナンス位置との間をスライド可能に支持されるとともに、そのメンテナンス位置において回動可能に支持される。
【００３３】
これにより、まず、メンテナンス位置ではスキャナ部５の重量（重力）の大部分が回動支持部７において支持されることになり、付加的な部材を用いることなくスキャナ部５を比較的小さい力で開けることができる。また、相応の強度を有するダンパー等の付加的な部材を用いることなく、突起部２１と受部２２といった成型等による簡単な構造によりスキャナ部５が開いた状態を保持することができる。その結果、製造コストの削減を図ることができる。
【００３４】
そして、スキャナ部５をメンテナンス位置にまでスライドさせる際に、重心Ｇの位置を通常の使用位置から回動支持部７よりも後方かつその近傍の位置にまで移動させればよく、プリンタ部３の上面部のほぼ全領域が露出するまでスキャナ部５をスライドさせる必要がなくなる。その結果、スキャナ付きプリンタ装置１の設置面積（占有面積）の削減を図ることができる。
【００３５】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００３６】
【図１】本発明の実施の形態に係るスキャナ付きプリンタ装置の斜視図である。
【図２】同実施の形態において、通常の使用位置におけるスキャナ付きプリンタ装置の側面図である。
【図３】同実施の形態において、メンテナンス位置におけるスキャナ付きプリンタ装置の第１の状態を示す斜視図である。
【図４】同実施の形態において、図３に示すスキャナ付きプリンタ装置の側面図である。
【図５】同実施の形態において、メンテナンス位置におけるスキャナ付きプリンタ装置の第２の状態を示す斜視図である。
【図６】同実施の形態において、図５に示すスキャナ付きプリンタ装置の側面図である。
【図７】同実施の形態において、スキャナ部をプリンタ部に対して回動可能に支持する構造を説明するためのスキャナ付きプリンタ装置の斜視図である。
【図８】同実施の形態において、回動支持部の構造を説明するための部分分解斜視図である。
【図９】同実施の形態において、回動支持部の構造を説明するための部分斜視図である。
【図１０】同実施の形態において、スキャン部をプリンタ部に係止する構造を説明するための部分斜視図である。
【図１１】同実施の形態において、図１０に示す断面線ＸＩ−ＸＩにおける部分断面図である。
【図１２】同実施の形態において、スキャナ部をプリンタ部に回動可能に支持する構造を説明するためのメンテナンス位置におけるスキャナ付きプリンタ装置の第１の状態を示す他の斜視図である。
【図１３】同実施の形態において、スキャナ部をプリンタ部に回動可能に支持する構造を説明するためのメンテナンス位置におけるスキャナ付きプリンタ装置の第２の状態を示す他の斜視図である。
【図１４】同実施の形態において、スキャナ付きプリンタ装置のメンテナンス手順を説明するための一状態を示す斜視図である。
【図１５】同実施の形態において、図１４に示す断面線ＸＶ−ＸＶにおける部分断面図である。
【図１６】同実施の形態において、図１４に示す状態の後の状態を示す斜視図である。
【図１７】同実施の形態において、図１６に示す断面線ＸＶＩＩ−ＸＶＩＩにおける部分断面図である。
【図１８】同実施の形態において、図１６に示す状態の後の状態を示す斜視図である。
【図１９】同実施の形態において、図１８に示す断面線ＸＩＸ−ＸＩＸにおける部分断面図である。
【図２０】同実施の形態において、スキャナ付きプリンタ装置のメンテナンスを行なう際の係止部の一状態を示す、図１８に示す断面線ＸＸ−ＸＸにおける部分断面図である。
【図２１】同実施の形態において、図２０に示す状態の後の状態を示す部分断面図である。
【図２２】同実施の形態において、図２１に示す状態の後の状態を示す部分断面図である。
【図２３】同実施の形態において、図１８に示す状態の後の状態を示す斜視図である。
【図２４】従来のスキャナ付きプリンタ装置の第１の例を示す側面図である。
【図２５】従来のスキャナ付きプリンタ装置の第２の例を示す側面図である。
【図２６】図２４に示すスキャナ付きプリンタ装置の問題点を説明するための側面図である。
【図２７】図２５に示すスキャナ付きプリンタ装置の問題点を説明するための側面図である。
【符号の説明】
【００３７】
１  スキャナ付きプリンタ装置、３  プリンタ部、５  スキャナ部、５ａ  操作パネル、７  回動支持部、９  軸本体、１１  ヒンジ部、１３  取付け部材、１３ａ  突起部、６  ベース部材、６ａ  長穴、６ｂ  第１開口部、６ｃ  第２開口部、１５  ネジ、１８  係止部、１７  カギ部、１９  レール材、２０  ストッパ部、２１  突起部、２２  受部。
【図１】
2008131338.tif 000003
【図２】
2008131338.tif 000004
【図３】
2008131338.tif 000005
【図４】
2008131338.tif 000006
【図５】
2008131338.tif 000007
【図６】
2008131338.tif 000008
【図７】
2008131338.tif 000009
【図８】
2008131338.tif 000010
【図９】
2008131338.tif 000011
【図１０】
2008131338.tif 000012
【図１１】
2008131338.tif 000013
【図１２】
2008131338.tif 000014
【図１３】
2008131338.tif 000015
【図１４】
2008131338.tif 000016
【図１５】
2008131338.tif 000017
【図１６】
2008131338.tif 000018
【図１７】
2008131338.tif 000019
【図１８】
2008131338.tif 000020
【図１９】
2008131338.tif 000021
【図２０】
2008131338.tif 000022
【図２１】
2008131338.tif 000023
【図２２】
2008131338.tif 000024
【図２３】
2008131338.tif 000025
【図２４】
2008131338.tif 000026
【図２５】
2008131338.tif 000027
【図２６】
2008131338.tif 000028
【図２７】
2008131338.tif 000029